(57)【要約】【目的】レリーズスイッチを押した時の手ぶれがカメラ本体に伝わることを防止する。【構成】カメラ本体１０とレリーズスイッチ部１８とは、ケーブル４０で接続されており、通常撮影時及び持ち運び時は、ケーブル４０をカメラ本体の中に収納し、レリーズスイッチ部１８を、ロックレバー２４でカメラ本体１０へ係止めする。そして、手ぶれを防止して撮影する時は、ロックレバー２４によるレリーズスイッチ部１８の係止めを解除し、レリーズスイッチ部１８をカメラ本体１０から取り外し、ケーブル４０をカメラ本体１２から引き出して撮影することで、レリーズスイッチ１６を押した時の手ぶれが、カメラ本体１２へ伝わることを防止する。【選択図】　図３
2004077745.tif 000002
【特許請求の範囲】
【請求項１】
レリーズスイッチ部がカメラ本体に着脱可能に設けられ、前記レリーズスイッチ部を前記カメラ本体に装着した状態と、前記レリーズスイッチ部を前記カメラ本体から外した状態で撮影できることを特徴とするカメラ。
【請求項２】
前記レリーズスイッチ部と前記カメラ本体を接離可能に接続する配線を有することを特徴とする請求項１に記載のカメラ。
【請求項３】
前記レリーズスイッチを前記カメラ本体に係止させる係止手段と、
前記レリーズスイッチ部と前記カメラ本体の間に設けられ、前記レリーズスイッチ部を前記カメラ本体から離反する方向へ付勢する付勢手段と、
を有することを特徴とする請求項１又は２に記載のカメラ。
【発明の詳細な説明】
【０００１】
【発明の属する技術分野】
本発明はカメラに係り、特にレリーズスイッチを押して撮影する際の手ぶれを防止するカメラに関する。
【０００２】
【従来の技術】
従来、銀塩カメラ、デジタルカメラでレリーズスイッチを押して撮影する際の手ぶれを防止するため、様々な手ぶれ防止機構が考案されてきた。
【０００３】
その中で、図７及び図８に示すような手ぶれ振動が伝わりにくい構造のカメラ１００（例えば、特許文献１参照）がある。カメラ本体１０２には、グリップ部１０４が回動軸１０６と軸受部１０８とで回動自在に支持されている。
【０００４】
また、回動軸１０６には、アーム１０７が延出しており、このアーム１０７の先端部には、バネ１１２が架設されている。このため、レリーズスイッチ１１０を押したときに手ぶれ振動が発生してグリップ部１０４が揺動振動しても、手ぶれ振動はバネ１１２、１１２で吸収されるので、カメラ本体１０２には伝わりにくくなっている。
【０００５】
しかし、この構造は、レリーズスイッチ１１０を押したときに生じた手ぶれ振動をバネ１１２、１１２で減衰させてカメラ本体１０２に伝わりにくくするというものであり、手ぶれ振動をカメラ１００に生じさせないというものではない。
【０００６】
また、防振構造（例えば、特許文献２参照）、レリーズと撮影の時間差をつける方法（例えば、特許文献３参照）、手ぶれを検出して、光学的、電気的に補正する方法等が考案されてきた。
【０００７】
しかし、これらの構造及び方法も、カメラ本体に生じた手ぶれ振動が撮影光学系に伝わらないように制御するものであり、手ぶれ振動をカメラ本体に生じさせないというものではない。
【０００８】
そこで、カメラ本体に手ぶれ振動を生じさせない手段として、リモートレリーズを使用しての撮影が行われてきたが、持ち運び時にカメラ本体とは別にリモートレリーズを持ち運ばなければならないという不便さがあった。
【０００９】
【特許文献１】
特願平０８−３１２３６６号公報
【００１０】
【特許文献２】
特願平０６−９６４４７号公報
【００１１】
【特許文献３】
特願平０５−１７３１４７号公報
【００１２】
【発明が解決しようとする課題】
本発明は上記事実を考慮してなされたものであり、リモートレリーズを使用して撮影しているように、手ぶれ振動をカメラ本体に生じさせずに撮影できると共に、リモートレリーズをカメラと別々に持ち運ばなければならない不便さを解消するカメラを提供することを目的とする。
【００１３】
【課題を解決するための手段】
請求項１に係るカメラは、レリーズスイッチ部がカメラ本体に着脱可能に設けられ、前記レリーズスイッチ部を前記カメラ本体に装着した状態と、前記レリーズスイッチ部を前記カメラ本体から外した状態で撮影できることを特徴とする。
【００１４】
請求項１に係るカメラの作用を以下に説明する。
【００１５】
レリーズスイッチ部がカメラ本体に着脱可能に設けられており、レリーズスイッチ部をカメラ本体に装着した状態と、レリーズスイッチ部をカメラ本体から外した状態で撮影できる。
【００１６】
レリーズスイッチ部をカメラ本体から外した状態では、リモートレリーズを使用しているように、カメラ本体に手ぶれ振動を生じさせずに撮影を行うことができる。そして、手ぶれ振動を気にせずに撮影を行うときは、レリーズスイッチ部をカメラ本体に装着した状態で撮影を行えばよい。
【００１７】
また、レリーズスイッチ部をカメラ本体に装着して持ち運ぶことによって、リモートレリーズのようにカメラと別々に持ち運ばなければならない不便さが解消される。
【００１８】
請求項２に係るカメラは、請求項１に記載のカメラであって、前記レリーズスイッチ部と前記カメラ本体を接離可能に接続する配線を有することを特徴とする。
【００１９】
請求項２に係るカメラの作用を以下に説明する。
【００２０】
レリーズスイッチ部とカメラ本体は配線で接離可能に接続されている。このため、レリーズスイッチ部のカメラ本体への着脱が可能となる。従って、レリーズスイッチ部をカメラ本体に装着した状態での撮影とレリーズスイッチ部をカメラ本体から外した状態での撮影が可能となる。
【００２１】
請求項３に係るカメラは、請求項１又は２に記載のカメラであって、前記レリーズスイッチ部を前記カメラ本体に係止させる係止手段と、前記レリーズスイッチ部と前記カメラ本体の間に設けられ、前記レリーズスイッチ部を前記カメラ本体から離反する方向へ付勢する付勢手段と、を有することを特徴とする。
【００２２】
請求項３に係るカメラの作用を以下に説明する。
【００２３】
レリーズスイッチ部は係止手段によってカメラ本体に係止される。また、レリーズスイッチ部とカメラ本体の間には付勢手段が設けられている。この付勢手段は、レリーズスイッチ部をカメラ本体から離反する方向へ付勢している。
【００２４】
このため、係止手段によるレリーズスイッチ部の係止を解除すると、レリーズスイッチ部は付勢手段によって押され、独りでにカメラ本体から離反する。従って、レリーズスイッチ部を掴みやすくなっており、レリーズスイッチ部をカメラ本体から容易に外すことができる。
【００２５】
【発明の実施の形態】
以下に図面を参照しながら本発明の実施の形態を説明する。
【００２６】
図１及び図２に示すように、本実施形態のカメラ１０は、カメラ本体１２を備える。カメラ本体１２は、撮影光学系を備える。このカメラ本体１２の右側（ユーザーの右手側）には、グリップ部１４が設けられている。このグリップ部１４の上部には、レリーズスイッチ１６を備えるレリーズスイッチ部１８が収納される収納部２０が設けられている。
【００２７】
この収納部２０は、段付きの円穴で、底側が小径になっている。そして、レリーズスイッチ部１８は、段付きの円柱で、収納部２０とは凸凹の関係となっており、収納部２０と嵌合して収納されている。
【００２８】
そして、図３に示すように、レリーズスイッチ部１８の底側の周面には、Ｌ字状の溝２２が形成されている。この溝２２は、鉛直部３０と水平部３２で構成されている。
【００２９】
鉛直部３０は底側の端部から軸方向中央部まで鉛直に形成されている。水平部３２は鉛直部３０の上端から水平に形成されている。これに対して、収納部２０には、ロックレバー２４が設けられている。このロックレバー２４は、つまみ部２６と爪部２８で構成されている。
【００３０】
つまみ部２６は、レリーズスイッチ部１８の上面の縁に沿うように配設されている。そして、爪部２８は、つまみ部２６から垂下し、Ｌ字状に屈曲し、先端が溝２２の水平部３２に入っている。これによって、レリーズスイッチ部１８は収納部２０に係止されている。
【００３１】
また、ロックレバー２４は、爪部２８が溝２２の水平部３２の端から端まで移動できるように、グリップ部１４に支持されている。このため、爪部２８が溝２２の鉛直部３０の位置まで移動されると係止が解除された状態になるので、レリーズスイッチ部１８を収納部２０から取り出すことができる。
【００３２】
また、図４に示すように、収納部２０の段差がついた部分には、２個の板バネ３４が収納部２０の中心を対称に配設されている。この板バネ３４は、レリーズスイッチ部１８がロックレバー２４によってロックされている時は、レリーズスイッチ部１８から弾性変形されている。
【００３３】
そして、ロックレバー２４によるレリーズスイッチ部１８のロックを解除すると、板バネ３４は元の形に復帰する。このときの弾性力でレリーズスイッチ部１８は収納部２０から飛び出すので、容易にレリーズスイッチ部１８を掴むことができる。
【００３４】
また、図５に示すように、レリーズスイッチ部１８の上部には、溝３６が形成されている。これに対して、収納部２０の上部の周面で溝３６に対応する位置には、溝３６に係合するリブ３８が形成されている。
【００３５】
このリブ３８と溝３６によって、レリーズスイッチ部１８は位置決めされるので、ロックレバー２４を動かした時にレリーズスイッチ部１８が回転することを防止できる。また、レリーズスイッチ部１８を収納部２０にセットするときは、リブ３８と溝３６を目印にすることによってセットが容易になる。
【００３６】
また、レリーズスイッチ部１８の上面の中央部には、レリーズスイッチ１６が備えられ、レリーズスイッチ部１８には図示しないマイクロスイッチが内設されている。このマイクロスイッチには、ケーブル４０の一端側が接続されている。
【００３７】
このケーブル４０は、収納部２０の底に設けられた円孔４２を通ってカメラ本体１２の内部に設けられた制御基板（図示せず）に接続されている。レリーズスイッチ１６が押されるとマイクロスイッチがオンになり、レリーズ信号がケーブル４０によって制御基板に伝達され、写真撮影が行われる。
【００３８】
また、ケーブル４０は、レリーズスイッチ部１８が収納部２０に収納されている時は、カメラ本体１２の中に無理なく収納され、レリーズスイッチ部１８をカメラ本体１２から外すと、１５センチメートル程、カメラ本体１２の中から引き出すことができる長さとされている。
【００３９】
このため、レリーズスイッチ部１８をカメラ本体１２に装着した状態で撮影することができ、また、図６に示すように、レリーズスイッチ部１８をカメラ本体１２から外して、リモートレリーズを使用して撮影しているような状態で撮影することができる。
【００４０】
従って、レリーズスイッチ１６を押したときの手ぶれ振動がカメラ本体１２に伝わることを、リモートレリーズを使用して撮影する場合と同等のレベルで防止できる。また、カメラ１０の持ち運び時は、レリーズスイッチ部１８をカメラ本体１２に装着しておけばいいので、リモートレリーズのように、カメラと別々に持ち運ばなければならない不便さは解消される。
【００４１】
なお、付勢手段は、板バネを例に取って説明したが、圧縮コイルバネ等の他の弾性部材も適用可能である。
【００４２】
また、係止手段は、爪が溝に係る構成について説明したが、これとは異なる他の構成にしてもよいし、係止せずにマグネットの磁力でレリーズスイッチ部をカメラ本体に装着させてもよい。
【００４３】
さらに、撮影時のシャッター速度によって、レリーズスイッチ部をカメラ本体から取り外すことをユーザーに促す警告表示を液晶表示部５０に表示させる機能をカメラ本体の制御部に備えてもよい。例えば、シャッター速度が１／３０秒より長くなる場合は、手ぶれ振動が生じる確率が高くなるので、その時にユーザーに警告するというものである。
【００４４】
【発明の効果】
本発明のカメラは、上記構成にしたので、従来のリモートレリーズを使用して撮影しているように、手ぶれ振動をカメラ本体に生じさせずに撮影できると共に、リモートレリーズをカメラと別々に持ち運ばなければならない不便さが解消される。
【図面の簡単な説明】
【図１】本実施形態に係るカメラを示す斜視図である。
【図２】本実施形態に係るカメラを示す斜視図である。
【図３】本実施形態に係るレリーズスイッチ部とその周辺を示す斜視図である。
【図４】本実施形態に係るレリーズスイッチと収納部を示す正面図である。
【図５】本実施形態に係るレリーズスイッチと収納部を示す斜視図である。
【図６】本実施形態に係るカメラを示す斜視図である。
【図７】従来例に係るカメラのグリップ部を示す側面断面図である。
【図８】従来例に係るカメラのグリップ部を示す側面断面図である。
【符号の説明】
１０　　カメラ
１２　　カメラ本体
１８　　レリーズスイッチ部
２４　　ロックレバー（係止手段）
３４　　板バネ（付勢手段）
４０　　ケーブル（配線）
【図１】
2004077745.tif 000003
【図２】
2004077745.tif 000004
【図３】
2004077745.tif 000005
【図４】
2004077745.tif 000006
【図５】
2004077745.tif 000007
【図６】
2004077745.tif 000008
【図７】
2004077745.tif 000009
【図８】
2004077745.tif 000010